(57)【特許請求の範囲】
【請求項１】
リアルタイム放送とダウンロード放送とが含まれた放送信号を受信するデジタル放送受信機であって、
前記放送信号を受信して復調する放送受信部と、
前記放送信号が前記リアルタイム放送のとき、前記リアルタイム放送から映像音声データとリアルタイム放送番組情報を分離する第１の多重分離部と、
前記リアルタイム放送番組情報を蓄積する第１の蓄積部と、
前記放送信号が前記ダウンロード放送のとき、前記ダウンロード放送から映像音声データとダウンロード放送コンテンツ情報を分離する第２の多重分離部と、
前記ダウンロード放送コンテンツ情報を蓄積する第２の蓄積部と、
前記第２の蓄積部に蓄積された前記ダウンロード放送コンテンツ情報を前記リアルタイム放送番組情報に変換し、前記第１の蓄積部に蓄積された前記リアルタイム放送番組情報と合わせて電子番組表表示データを構成して出力する番組表生成部と、
を備え、
前記番組表生成部は、
前記番組表示データにおいて、前記ダウンロード放送コンテンツ情報のアドレスマップ情報に基づき、送信元アドレスをチャンネル番号に変換し、
前記ダウンロード放送コンテンツ情報に複数の配信日時が記載されているとき、１つの前記ダウンロード放送コンテンツ情報から複数のリアルタイム放送番組情報に変換して、前記番組表表示データを構成する
デジタル放送受信機。
【請求項２】
前記番組表生成部は、
時間的に連続する複数の前記ダウンロード放送コンテンツ情報のうち先頭のダウンロード放送コンテンツ情報のコンテンツＩＤを番組ＩＤに、
前記先頭の前記ダウンロード放送コンテンツ情報の配信日時を開始日時に、
時間的に連続する複数の前記ダウンロード放送コンテンツ情報の継続時間の合計された時間を継続時間に、
番組情報の番組名を前記ダウンロード放送とし、
前記ダウンロード放送コンテンツ情報に複数の配信日時、継続時間が記載されているものは、複数の前記配信日時、前記継続時間に対して、時間的に連続する複数の前記ダウンロード放送コンテンツ情報を１つのリアルタイム放送番組情報に、
変換する請求項１に記載のデジタル放送受信機。
【請求項３】
リアルタイム放送とダウンロード放送とを含めた放送信号を送信するデジタル放送送信機であって、
リアルタイム放送用映像音声データを符号化する映像音声符号化部と、
リアルタイム放送番組情報を生成するリアルタイム放送番組情報生成部と、
前記リアルタイム放送用映像音声データと前記リアルタイム放送番組情報を多重化する第１の多重化部と、
ダウンロード放送用映像音声データを蓄積するコンテンツ蓄積部と、
ダウンロード放送コンテンツ情報を生成するダウンロード放送コンテンツ情報生成部と、
前記ダウンロード放送用映像音声データと前記ダウンロード放送コンテンツ情報を多重化する第２の多重化部と、
前記第１の多重化部及び前記第２の多重化部の信号を選択して切換える切換部と、
前記切換部が選択した信号を変調して出力するデジタル放送送信部と、
を備え、
前記リアルタイム放送番組情報生成部は、
前記ダウンロード放送コンテンツ情報生成部からの前記ダウンロード放送コンテンツ情報を前記リアルタイム放送番組情報に変換し、
この変換の際には、前記ダウンロード放送コンテンツ情報のアドレスマップ情報に基づき、送信元アドレスをチャンネル番号に変換し、
さらに、前記ダウンロード放送コンテンツ情報に複数の配信日時が記載されているとき、１つの前記ダウンロード放送コンテンツ情報から複数のリアルタイム放送番組情報に変換し、
変換された前記リアルタイム放送番組情報と前記リアルタイム放送番組情報とを合成する
デジタル放送送信機。
【請求項４】
前記リアルタイム放送番組情報生成部は、
時間的に連続する複数の前記ダウンロード放送コンテンツ情報のうち先頭のダウンロード放送コンテンツ情報のコンテンツＩＤを番組ＩＤに、前記先頭の前記ダウンロード放送コンテンツ情報の配信日時を開始日時に、時間的に連続する複数の前記ダウンロード放送コンテンツ情報の継続時間の合計された時間を継続時間に、番組情報の番組名を前記ダウンロード放送とし、前記ダウンロード放送コンテンツ情報に複数の配信日時、継続時間が記載されているものは、複数の前記配信日時、前記継続時間に対して、時間的に連続する複数の前記ダウンロード放送コンテンツ情報を１つのリアルタイム放送番組情報に変換する
請求項３に記載のデジタル放送送信機。
【発明の詳細な説明】
【技術分野】
【０００１】
本発明は、リアルタイム放送とダウンロード放送の両方に対応した番組及びコンテンツの情報を同時に表示するためのデジタル放送受信機及びデジタル放送送信機に関するものである。
【背景技術】
【０００２】
デジタル放送には、通常のテレビ放送のようにリアルタイムに視聴することを目的としたリアルタイム放送と、受信機で一旦蓄積した後で再生視聴することを目的としたダウンロード放送がある。ダウンロード放送は、リアルタイムに視聴することはできないが、高い伝送レートを用いて通常視聴するよりも短い時間で番組を蓄積することができるサービスとして運用可能である。また、この２つの放送を時間的に切り換えて放送することも可能である。例えば、日中はリアルタイム放送を行い、深夜にその日に視聴率の高かった番組をダウンロード放送する、といった混在運用が考えられる。【０００３】
図７に、この混在運用を行うデジタル放送送信機と、混在運用に対応した従来のデジタル放送受信機を含むデジタル放送システムの構成を示す。【０００４】
デジタル放送送信機１００は、リアルタイム放送の場合には、映像音声符号化部１０２から出力される映像音声データと、リアルタイム放送番組情報生成部１０３から出力されるリアルタイム放送番組情報とを、ＭＰＥＧ−２トランスポートストリーム多重化部１０４がＭＰＥＧ−２ＳＹＳＴＥＭ方式により多重化する。そして、ＭＰＥＧ−２トランスポートストリーム多重化部１０４は、ＭＰＥＧ−２トランスポートストリームを切換部１０８へ出力する。【０００５】
一方、ダウンロード放送の場合には、コンテンツ蓄積部１０５から出力されるダウンロード放送用映像音声データと、ダウンロード放送コンテンツ情報生成部１０６から出力されるダウンロード放送コンテンツ情報とを、ダウンロード放送信号多重化部１０７がダウンロード放送信号多重化方式により多重化する。そしてダウンロード放送信号多重化部１０７は、ダウンロード放送信号を切換部１０８へ出力する。このときのダウンロード放送信号多重化方式には、伝送効率を考慮して可変長パケットによる多重化方式が用いられる。例えば、日本の高度ＢＳデジタル放送では、ダウンロード放送信号多重化方式としてＴＬＶ（Ｔｙｐｅ  Ｌｅｎｇｔｈ  Ｖａｌｕｅ）多重化方式が用いられ、ダウンロード放送信号はＴＬＶストリームと呼ばれる。【０００６】
切換部１０８は、リアルタイム放送時にはＭＰＥＧ−２トランスポートストリームを選択する。また、切換部１０８は、ダウンロード放送時にはダウンロード放送信号を選択する。デジタル放送送信部１０１は、選択された信号をデジタル放送信号に変調して伝送路３００へ出力する。【０００７】
また、２つの放送を時間的に切り替えて放送する場合、リアルタイム放送番組情報はリアルタイム放送中にのみ放送し、ダウンロード放送コンテンツ情報はダウンロード放送中にのみ放送する。そのため、デジタル放送受信機２００は、特定のタイミングにおいて、リアルタイム放送番組情報、或いは、ダウンロード放送コンテンツ情報を取得できないことがある。【０００８】
これを解決するため、ダウンロード放送コンテンツ情報生成部１０６から出力されるダウンロード放送コンテンツ情報は、通信部１０９を経て通信網４００へも出力する。このようなことにより、リアルタイム放送中でもデジタル放送受信機２００がダウンロード放送コンテンツ情報を取得できる。
【０００９】
一方、デジタル放送受信機２００は、伝送路３００を流れるデジタル放送信号を受信する。そして、デジタル放送受信部２０１は、デジタル放送信号を復調する。そして、デジタル放送受信部２０１は、リアルタイム放送時にはＭＰＥＧ２トランスポートストリームをＭＰＥＧ−２トランスポートストリーム多重分離部２０２へ出力する。また、デジタル放送受信部２０１は、ダウンロード放送時にはダウンロード放送信号をダウンロード放送信号多重分離部２０４へ出力する。【００１０】
リアルタイム放送の場合には、ＭＰＥＧ−２トランスポートストリーム多重分離部２０２がＭＰＥＧ−２トランスポートストリームから映像音声データとリアルタイム放送番組情報を分離する。リアルタイム放送番組情報はリアルタイム放送番組情報蓄積部２０３が蓄積する。映像音声データは映像音声切換部２０７を経て映像音声処理部２１１で復号され、映像音声出力部２１２から出力され、視聴者がリアルタイム放送を視聴する。【００１１】
ダウンロード放送の場合には、ダウンロード放送信号多重分離部２０４がダウンロード放送信号から映像音声データとダウンロード放送コンテンツ情報を分離する。またリアルタイム放送中の場合は、通信網４００を流れるダウンロード放送コンテンツ情報を通信部２１３が取得する。伝送路３００または通信網４００から取得したダウンロード放送コンテンツ情報はダウンロード放送コンテンツ情報蓄積部２０６が蓄積する。映像音声データは、視聴者が蓄積を指示した番組の場合にのみコンテンツ蓄積部２０５に蓄積される。蓄積された映像音声データは、視聴者が再生を指示した場合にコンテンツ蓄積部２０５から出力される。そして、映像音声データは、映像音声切換部２０７を経て映像音声処理部２１１で復号され、映像音声出力部２１２から出力される。したがって、視聴者はダウンロード放送を視聴できる。【００１２】
視聴者が、リアルタイム放送の電子番組表（以下、「ＥＰＧ（Ｅｌｅｃｔｒｏｎｉｃ  Ｐｒｏｇｒａｍ  Ｇｕｉｄｅ）」と略記する）の表示を指示すると、リアルタイム放送ＥＰＧ生成部２０８がリアルタイム放送番組情報蓄積部２０３からリアルタイム放送番組情報を取り出し、ＥＰＧ表示データを構成して出力する。ＥＰＧ表示データはＥＰＧ／ＥＣＧ（Ｅｌｅｃｔｒｏｎｉｃ  Ｃｏｎｔｅｎｔｓ  Ｇｕｉｄｅ）切換部２１０を経て映像音声処理部２１１で映像データと合成され、映像音声出力部２１２から出力される。
【００１３】
また、視聴者がダウンロード放送の電子コンテンツガイド（以下、「ＥＣＧ（Ｅｌｅｃｔｒｏｎｉｃ  Ｃｏｎｔｅｎｔｓ  Ｇｕｉｄｅ）」と略記する）の表示を指示すると、ダウンロード放送ＥＣＧ生成部２０９がダウンロード放送コンテンツ情報蓄積部２０６からダウンロード放送コンテンツ情報を取り出し、ＥＣＧ表示データを構成して出力する。ＥＣＧ表示データはＥＰＧ／ＥＣＧ切換部２１０を経て映像音声処理部２１１で映像データと合成され、映像音声出力部２１２から出力される。
【００１４】
リアルタイム放送とダウンロード放送では全く異なる多重化方式を用いており、ダウンロード放送コンテンツ情報はリアルタイム放送で通常用いられるＥＩＴ（Ｅｖｅｎｔ ｉｎｆｏｒｍａｔｉｏｎ  Ｔａｂｌｅ）などとは異なる形式が用いられる。そのため、従来のデジタル放送システムではこの２つの放送を別々のサービスとして区別していた。すなわち、デジタル放送送信機ではリアルタイム放送ではリアルタイム放送番組情報のみを放送し、ダウンロード放送ではダウンロード放送コンテンツ情報のみを放送していた。そして、デジタル放送受信機ではリアルタイム放送用のＥＰＧはリアルタイム放送番組情報のみを用いて画面で表示し、ダウンロード放送用のＥＣＧはダウンロード放送コンテンツ情報のみを用いて画面で表示し、別々の画面で表示していた。
【００１５】
ダウンロード放送コンテンツ情報とリアルタイム放送番組情報について、詳細に説明する。図８は従来のダウンロード放送コンテンツ情報とリアルタイム放送番組情報の例を示す図、図９は従来のデジタル放送システムにおけるＥＰＧ表示データの例を示す図、図１０は従来のデジタル放送システムにおけるＥＣＧ表示データの例を示す図である。【００１６】
ダウンロード放送は通信ダウンロードサービスと親和性を持たせるよう、ダウンロード放送コンテンツ情報には通信ダウンロードサービスのコンテンツ情報と同じものが用いられる。そのため、ダウンロード放送コンテンツ情報は、図８の左側の欄に示すように各コンテンツの送信元アドレス、コンテンツＩＤ、コンテンツ名が含まれ、さらに通信ダウンロードサービスのコンテンツ情報にない情報として、配信日時、継続時間も含まれる。また、図８のコンテンツ情報２に示すように、ひとつのコンテンツ情報に再放送も含めた複数の配信日時、継続時間が記載される場合もある。【００１７】
また、ダウンロード放送特有の情報として、チャンネル番号と送信元アドレスの組合せを示したアドレスマップ情報も使用される。また、リアルタイム放送番組情報は、図８の右側の欄に示すように各番組のチャンネル番号、番組ＩＤ、開始日時、継続時間、番組名を示した番組情報が含まれる。このように、ダウンロード放送コンテンツ情報とリアルタイム放送番組情報の中に含まれる情報が異なるため、別々で取り扱う必要があった。上記したことから、ＥＰＧ画面は図９に示すようにリアルタイム放送番組情報のみを用いるため、ダウンロード放送時間帯が空白となって表示される。また、ＥＣＧ画面は図１０に示すようにダウンロード放送コンテンツ情報のみを用いるため、リアルタイム放送時間帯が空白となって表示される。【００１８】
従来のデジタル放送システムには、ＥＰＧの表示形態を視聴者から提供された条件にしたがって変換できるデジタル放送受信機もある（例えば特許文献１参照）。【００１９】
また、所定の番組情報の取得が完了していないと判定した場合に、別の通信手段を使用して所定の番組情報を取得するデジタル放送受信機もある（例えば特許文献２参照）。【００２０】
さらに、デジタル放送受信機での蓄積機能を必要とする番組か否かの情報を番組情報に追加してデジタル放送送信機から放送し、デジタル放送受信機のＥＰＧで区別して表示するものもある（例えば特許文献３参照）。【００２１】
しかしながら、上記従来のデジタル放送システムでは、リアルタイム放送とダウンロード放送が時間的に切り替えて放送される場合、リアルタイム放送番組情報にはリアルタイム放送の番組情報のみ含まれている。したがってダウンロード放送の番組情報がないため、ダウンロード放送時間帯がＥＰＧ画面で空白になってしまう。【００２２】
特許文献１に記載のデジタル放送システムでは、視聴者から提供された条件にしたがってＥＰＧの表示形態を変換する手段をデジタル放送受信機に提供している。しかし、その際に使用するのはリアルタイム放送の番組情報のみである。したがって、元々番組情報のないダウンロード放送時間帯がＥＰＧ画面で空白になってしまうのは同様である。【００２３】
特許文献２に記載のデジタル放送システムでは、取得できていないリアルタイム放送番組情報を別の通信手段を使用して取得する手段をデジタル放送受信機に提供している。しかし、その際に取得するのはリアルタイム放送の番組情報のみであり、元々番組情報のないダウンロード放送時間帯がＥＰＧ画面で空白になってしまうのは同様である。【００２４】
特許文献３に記載のデジタル放送システムでは、リアルタイム放送とダウンロード放送が同じ多重化方式を用いて混在する場合に、番組情報の中にそれらを区別する情報を付加してＥＰＧ表示する手段を提供している。しかし、２つの放送の番組情報が同じ多重化方式で多重化されているのを前提としているため、多重化方式の異なるダウンロード放送が混在する場合は、番組情報のないダウンロード放送時間帯がＥＰＧ画面で空白になってしまうのは同様である。【００２５】
このため、ＥＰＧ画面が空白の時間帯は放送が休止なのか、ダウンロード放送中なのか、ＥＰＧ画面を見ただけでは視聴者は判別できない、という課題を有していた。
【先行技術文献】
【特許文献】
【００２６】
【特許文献１】特開２００２−３６９０９３号公報
【特許文献２】特開２００５−０５１６１３号公報
【特許文献３】特開２００５−１９１９５０号公報
【発明の概要】
【００２７】
本発明のデジタル放送受信機は、デジタル放送受信部と、第１の多重分離部と、第1の蓄積部と、第２の多重分離部と、第２の蓄積部と、番組表生成部とを備える。デジタル放送受信部は、デジタル放送信号を受信して復調する。第１の多重分離部は、デジタル放送信号がトランスポートストリームのとき、トランスポートストリームから映像音声データとリアルタイム放送番組情報を分離する。第1の蓄積部は、リアルタイム放送番組情報を蓄積する。第２の多重分離部は、デジタル放送信号がダウンロード放送信号のとき、ダウンロード放送信号から映像音声データとダウンロード放送コンテンツ情報を分離する。第２の蓄積部は、ダウンロード放送コンテンツ情報を蓄積する。番組表生成部は、第２の蓄積部に蓄積されたダウンロード放送コンテンツ情報をリアルタイム放送番組情報に変換し、第１の蓄積部に蓄積されたリアルタイム放送番組情報と合わせてＥＰＧ表示データを構成して出力する。
【００２８】
このような構成によって、リアルタイム放送番組情報とダウンロード放送コンテンツ情報を同時に表示することが可能となる。
【００２９】
また、本発明のデジタル放送送信機は、映像音声符号化部と、リアルタイム放送番組情報生成部と、第１の多重化部と、コンテンツ蓄積部と、ダウンロード放送コンテンツ情報生成部と、第２の多重化部と、切換部と、デジタル放送送信部とを備える。映像音声符号化部は、リアルタイム放送用映像音声データを符号化する。リアルタイム放送番組情報生成部は、リアルタイム放送番組情報を生成する。第１の多重化部は、リアルタイム放送用映像音声データとリアルタイム放送番組情報を多重化する。コンテンツ蓄積部は、ダウンロード放送用映像音声データを蓄積する。ダウンロード放送コンテンツ情報生成部は、ダウンロード放送コンテンツ情報を生成する。第２の多重化部は、ダウンロード放送用映像音声データとダウンロード放送コンテンツ情報を多重化する。切換部は、第１の多重化部及び第２の多重化部の信号を選択して切換える。デジタル放送送信部は、切換部が選択した信号を変調して出力する。リアルタイム放送番組情報生成部は、ダウンロード放送コンテンツ情報生成部からのダウンロード放送コンテンツ情報をリアルタイム放送番組情報に変換し、変換されたリアルタイム放送番組情報とリアルタイム放送番組情報とを合成する。
【００３０】
このような構成によって、リアルタイム放送番組情報とダウンロード放送コンテンツ情報を同時に表示することが可能となる。
【図面の簡単な説明】
【００３１】
【図１】図１は、本発明の実施の形態１におけるデジタル放送システムの構成図である。
【図２】図２は、本発明の実施の形態１、２におけるダウンロード放送コンテンツ情報変換の例１を示す図である。
【図３】図３は、本発明の実施の形態１、２におけるＥＰＧ表示データの例１を示す図である。
【図４】図４は、本発明の実施の形態１、２におけるダウンロード放送コンテンツ情報変換の例２を示す図である。
【図５】図５は、本発明の実施の形態１、２におけるＥＰＧ表示データの例２を示す図である。
【図６】図６は、本発明の実施の形態２におけるデジタル放送システムの構成図である。
【図７】図７は、従来のデジタル放送システムの構成図である。
【図８】図８は、従来のダウンロード放送コンテンツ情報とリアルタイム放送番組情報の例を示す図である。
【図９】図９は、従来のデジタル放送システムにおけるＥＰＧ表示データの例を示す図である。
【図１０】図１０は、従来のデジタル放送システムにおけるＥＣＧ表示データの例を示す図である。
【発明を実施するための形態】
【００３２】
（実施の形態１）
以下本発明の実施の形態について図面を用いて説明する。
【００３３】
まず、本発明の実施の形態１に係るデジタル放送システムの概要について説明する。図１は本発明の実施の形態１に係るデジタル放送システムの構成図である。デジタル放送受信機２００ａは、図７に示す従来のデジタル放送システムのデジタル放送受信機２００と異なるが、デジタル放送送信機１００は、図７に示す従来のデジタル放送システムのデジタル放送送信機１００と同一である。
【００３４】
デジタル放送送信機１００は、リアルタイム放送の場合には、映像音声符号化部１０２から出力される映像音声データと、リアルタイム放送番組情報生成部１０３から出力されるリアルタイム放送番組情報とを、ＭＰＥＧ−２トランスポートストリーム多重化部１０４がＭＰＥＧ−２ＳＹＳＴＥＭ方式により多重化する。そして、ＭＰＥＧ−２トランスポートストリーム多重化部１０４は、ＭＰＥＧ−２トランスポートストリームを切換部１０８へ出力する。
【００３５】
一方、ダウンロード放送の場合には、コンテンツ蓄積部１０５から出力されるダウンロード放送用映像音声データと、ダウンロード放送コンテンツ情報生成部１０６から出力されるダウンロード放送コンテンツ情報とを、ダウンロード放送信号多重化部１０７がダウンロード放送信号多重化方式により多重化する。そしてダウンロード放送信号多重化部１０７は、ダウンロード放送信号を切換部１０８へ出力する。このときのダウンロード放送信号多重化方式には、伝送効率を考慮して可変長パケットによる多重化方式が用いられる。例えば、日本の高度ＢＳデジタル放送では、ダウンロード放送信号多重化方式としてＴＬＶ（Ｔｙｐｅ  Ｌｅｎｇｔｈ  Ｖａｌｕｅ）多重化方式が用いられ、ダウンロード放送信号はＴＬＶストリームと呼ばれる。
【００３６】
切換部１０８は、リアルタイム放送時にはＭＰＥＧ−２トランスポートストリームを選択する。また、切換部１０８は、ダウンロード放送時にはダウンロード放送信号を選択する。デジタル放送送信部１０１は、選択された信号をデジタル放送信号に変調して伝送路３００へ出力する。
【００３７】
また、ダウンロード放送コンテンツ情報生成部１０６から出力されるダウンロード放送コンテンツ情報は、通信部１０９が通信網４００へ出力する。
【００３８】
一方、デジタル放送受信機２００ａは、デジタル放送受信部２０１と、第１の多重分離部と、第１の蓄積部と、第２の多重分離部と、第２の蓄積部と、番組表生成部とを備えている。
【００３９】
デジタル放送受信部２０１は、伝送路３００を流れるデジタル放送信号を受信する。すなわち、デジタル放送受信部２０１は、デジタル放送信号を受信して復調する。そして、デジタル放送受信部２０１は、リアルタイム放送時にはＭＰＥＧ２トランスポートストリームをＭＰＥＧ−２トランスポートストリーム多重分離部２０２へ出力する。また、デジタル放送受信部２０１は、ダウンロード放送時にはダウンロード放送信号をダウンロード放送信号多重分離部２０４へ出力する。
【００４０】
リアルタイム放送の場合、すなわち、デジタル放送信号がトランスポートストリームのとき、第１の多重分離部としてのＭＰＥＧ−２トランスポートストリーム多重分離部２０２がＭＰＥＧ−２トランスポートストリームから映像音声データとリアルタイム放送番組情報を分離する。
【００４１】
第１の蓄積部としてのリアルタイム放送番組情報蓄積部２０３は、リアルタイム放送番組情報を蓄積する。映像音声データは映像音声切換部２０７を経て映像音声処理部２１１で復号され、映像音声出力部２１２から出力される。したがって、視聴者はリアルタイム放送を視聴できる。
【００４２】
ダウンロード放送の場合、すなわち、デジタル放送信号がダウンロード放送信号のとき、第２の多重分離部としてのダウンロード放送信号多重分離部２０４がダウンロード放送信号から映像音声データとダウンロード放送コンテンツ情報を分離する。またリアルタイム放送中の場合は、通信網４００を流れるダウンロード放送コンテンツ情報を通信部２１３で取得する。第２の蓄積部としてのダウンロード放送コンテンツ情報蓄積部２０６は、伝送路３００または通信網４００から取得したダウンロード放送コンテンツ情報を蓄積する。映像音声データは、視聴者が蓄積を指示した番組の場合にのみコンテンツ蓄積部２０５に蓄積される。蓄積された映像音声データは、視聴者が再生を指示した場合にコンテンツ蓄積部２０５から出力される。そして、映像音声データは、映像音声切換部２０７を経て映像音声処理部２１１で復号され、映像音声出力部２１２から出力される。したがって、視聴者はダウンロード放送を視聴できる。
【００４３】
視聴者がリアルタイム放送のＥＰＧの表示を指示すると、番組表生成部としてのリアルタイム放送ＥＰＧ生成部２０８ａは、ダウンロード放送コンテンツ情報蓄積部２０６に蓄積されたダウンロード放送コンテンツ情報を取り出す。そして、ダウンロード放送コンテンツ情報変換部２１４にて、ダウンロード放送コンテンツ情報をリアルタイム放送番組情報に変換する。さらに、リアルタイム放送ＥＰＧ生成部２０８ａは、リアルタイム放送番組情報蓄積部２０３からリアルタイム放送番組情報を取り出し、ダウンロード放送コンテンツ情報の変換後のリアルタイム放送番組情報と合わせてＥＰＧ表示データを構成して出力する。ＥＰＧ表示データは映像音声処理部２１１で映像データと合成され、映像音声出力部２１２から出力される。
【００４４】
デジタル放送受信機２００ａにおけるダウンロード放送コンテンツ情報変換の一例として図２、図３を用いて説明する。図２は本発明の実施の形態１におけるダウンロード放送コンテンツ情報変換の例１を示す図、図３は本発明の実施の形態１におけるＥＰＧ表示データの例１を示す図である。
【００４５】
ダウンロード放送は通信ダウンロードサービスと親和性を持たせるよう、ダウンロード放送コンテンツ情報には通信ダウンロードサービスのコンテンツ情報と同じものが用いられる。そのため、ダウンロード放送コンテンツ情報は、図２の左側の部分のように各コンテンツの送信元アドレス、コンテンツＩＤ、コンテンツ名が含まれる。さらに通信ダウンロードサービスのコンテンツ情報にない情報として、配信日時、継続時間も含まれる。図２のコンテンツ情報２のように、ひとつのコンテンツ情報に再放送も含めた複数の配信日時、継続時間が記載される場合もある。また、ダウンロード放送特有の情報として、チャンネル番号と送信元アドレスの組合せを示したアドレスマップ情報も使用される。
【００４６】
そして、ダウンロード放送コンテンツ情報変換部２１４は、図２に示すようにダウンロード放送コンテンツ情報をリアルタイム放送番組情報の形式に変換する。リアルタイム放送番組情報は、図２の右側の部分のように各番組のチャンネル番号、番組ＩＤ、開始日時、継続時間、番組名を示した番組情報が含まれる。
【００４７】
番組表生成部としてのダウンロード放送コンテンツ情報変換部２１４は、ダウンロード放送コンテンツ情報のアドレスマップ情報に基づき、ダウンロード放送コンテンツ情報の送信元アドレスを番組情報のチャンネル番号に変換する。また、ダウンロード放送コンテンツ情報変換部２１４は、コンテンツ情報のコンテンツＩＤを番組情報の番組ＩＤに、コンテンツ情報の配信日時を番組情報の開始日時に、コンテンツ情報の継続時間を番組情報の継続時間に、コンテンツ情報のコンテンツ名を番組情報の番組名に、というようにコンテンツ情報から番組情報を生成してリアルタイム放送番組情報に変換する。また、番組表生成部としてのダウンロード放送コンテンツ情報変換部２１４は、ダウンロード放送コンテンツ情報に複数の配信日時が記載されているとき、一つのダウンロード放送コンテンツ情報から配信日時の数だけ複数の番組情報を生成して、複数のリアルタイム放送番組情報へ変換する。なお、ダウンロード放送コンテンツ情報には、配信日時に加えて、コンテンツの継続時間が記載されていてもよい。
【００４８】
また、番組分類をダウンロード放送とするなど、ダウンロード放送コンテンツ情報から変換したことを示す情報を追加し、ＥＰＧ表示データを構成する際に背景色を変えるなどリアルタイム放送の時間帯と視覚的に区別する。この結果、図３に示すようなＥＰＧ表示データが構成される。
【００４９】
また、別の例として、図４、図５を用いて説明する。図４は本発明の実施の形態１におけるダウンロード放送コンテンツ情報変換の例２を示す図、図５は本発明の実施の形態１におけるＥＰＧ表示データの例２を示す図である。ここでは前述の例と異なり、図４に示すように時間的に連続する複数のダウンロード放送コンテンツ情報を１つのリアルタイム放送番組情報の形式に変換する。
【００５０】
すなわち、番組表生成部としてのダウンロード放送コンテンツ情報変換部２１４は、ダウンロード放送コンテンツ情報のアドレスマップ情報に基づき、ダウンロード放送コンテンツ情報の送信元アドレスを番組情報のチャンネル番号に変換する。また、ダウンロード放送コンテンツ情報変換部２１４は、時間的に連続する複数のダウンロード放送コンテンツ情報のうち先頭のダウンロード放送コンテンツ情報のコンテンツＩＤを番組情報の番組ＩＤに、先頭のダウンロード放送コンテンツ情報の配信日時を番組情報の開始日時に、時間的に連続する複数のダウンロード放送コンテンツ情報の継続時間の合計された時間を番組情報の継続時間に変換する。また、ダウンロード放送コンテンツ情報変換部２１４は、番組情報の番組名をダウンロード放送とする。さらに、ダウンロード放送コンテンツ情報変換部２１４は、ダウンロード放送コンテンツ情報に複数の配信日時、継続時間が記載されているものは、各々の配信日時、継続時間に対して、時間的に連続する複数のダウンロード放送コンテンツ情報を１つのリアルタイム放送番組情報に変換する。この結果、図５に示すようなＥＰＧ表示データが構成される。
【００５１】
このように、実施の形態１におけるデジタル放送システムは、リアルタイム放送にリアルタイム放送番組情報しか含まない場合においても、伝送路３００または通信網４００から取得したダウンロード放送コンテンツ情報を利用してＥＰＧ表示データを構成している。したがって、リアルタイム放送番組情報が存在しない時間帯にダウンロード放送コンテンツ情報があれば、それをリアルタイム放送の時間帯と区別して表示することができるため、リアルタイム放送のＥＰＧを表示するだけで、視聴者はリアルタイム放送中なのか、ダウンロード放送中なのか、放送休止中なのかを区別することができる。
【００５２】
（実施の形態２）
本発明の実施の形態２に係るデジタル放送システムの概要について説明する。図６は本発明の実施の形態２に係るデジタル放送システムの構成図である。デジタル放送送信機１００ａは、図７に示す従来のデジタル放送システムのデジタル放送送信機１００と異なるが、デジタル放送受信機２００は、図７に示す従来のデジタル放送システムのデジタル放送受信機２００と同一である。
【００５３】
デジタル放送送信機１００ａは、映像音声符号化部１０２と、リアルタイム放送番組情報生成部１０３ａと、第１の多重化部と、コンテンツ蓄積部１０５と、ダウンロード放送コンテンツ情報変換部１１０と、第２の多重化部と、切換部１０８と、デジタル放送送信部１０１とを備えている。
【００５４】
映像音声符号化部１０２は、リアルタイム放送用映像音声データを符号化する。
【００５５】
ダウンロード放送コンテンツ情報生成部１０６は、ダウンロード放送コンテンツ情報を生成する。
【００５６】
リアルタイム放送の場合には、デジタル放送送信機１００ａは、リアルタイム放送番組情報生成部１０３ａに含まれるダウンロード放送コンテンツ情報変換部１１０が、ダウンロード放送コンテンツ情報生成部１０６から出力されるダウンロード放送コンテンツ情報を、リアルタイム放送番組情報に変換する。そして、リアルタイム放送番組情報生成部１０３ａは、変換されたリアルタイム放送番組情報とリアルタイム放送番組情報とを合成して出力する。
【００５７】
また、第１の多重化部としてのＭＰＥＧ−２トランスポートストリーム多重化部１０４は、映像音声符号化部１０２から出力される映像音声データと、リアルタイム放送番組情報生成部１０３ａから出力されるリアルタイム放送番組情報とを、ＭＰＥＧ−２ＳＹＳＴＥＭ方式により多重化する。そして、ＭＰＥＧ−２トランスポートストリーム多重化部１０４は、ＭＰＥＧ−２トランスポートストリームを切換部１０８へ出力する。
【００５８】
一方、ダウンロード放送の場合には、デジタル放送送信機１００ａは、第２の多重化部としてのダウンロード放送信号多重化部１０７が、コンテンツ蓄積部１０５から出力されるダウンロード放送用映像音声データと、ダウンロード放送コンテンツ情報生成部１０６から出力されるダウンロード放送コンテンツ情報を、ダウンロード放送信号多重化方式により多重化する。そして、ダウンロード放送信号多重化部１０７は、ダウンロード放送信号を切換部１０８へ出力する。
【００５９】
切換部１０８は、第１の多重化部及び第２の多重化部の信号を選択して切換える。すなわち、リアルタイム放送時にはＭＰＥＧ−２トランスポートストリームを、ダウンロード放送時にはダウンロード放送信号を選択する。デジタル放送送信部１０１は、切換部１０８が選択した信号をデジタル放送信号に変調して伝送路３００へ出力する。
【００６０】
また、ダウンロード放送コンテンツ情報生成部１０６から出力されるダウンロード放送コンテンツ情報は、通信部１０９が通信網４００へ出力する。
【００６１】
一方、デジタル放送受信機２００は、伝送路３００を流れるデジタル放送信号を受信する。そして、デジタル放送受信部２０１は、デジタル放送信号を復調する。そして、デジタル放送受信部２０１は、リアルタイム放送時にはＭＰＥＧ２トランスポートストリームをＭＰＥＧ−２トランスポートストリーム多重分離部２０２へ出力する。また、デジタル放送受信部２０１は、ダウンロード放送時にはダウンロード放送信号をダウンロード放送信号多重分離部２０４へ出力する。
【００６２】
リアルタイム放送の場合には、ＭＰＥＧ−２トランスポートストリーム多重分離部２０２がＭＰＥＧ−２トランスポートストリームから映像音声データとリアルタイム放送番組情報を分離する。リアルタイム放送番組情報はリアルタイム放送番組情報蓄積部２０３が蓄積する。映像音声データは映像音声切換部２０７を経て映像音声処理部２１１で復号され、映像音声出力部２１２から出力される。したがって、視聴者はリアルタイム放送を視聴できる。
【００６３】
ダウンロード放送の場合には、ダウンロード放送信号多重分離部２０４がダウンロード放送信号から映像音声データとダウンロード放送コンテンツ情報を分離する。またリアルタイム放送中の場合には、通信網４００を流れるダウンロード放送コンテンツ情報を通信部２１３が取得する。伝送路３００または通信網４００から取得したダウンロード放送コンテンツ情報はダウンロード放送コンテンツ情報蓄積部２０６が蓄積する。映像音声データは、視聴者が蓄積を指示した番組の場合にのみコンテンツ蓄積部２０５に蓄積される。蓄積された映像音声データは、視聴者が再生を指示した場合にコンテンツ蓄積部２０５から出力される。そして、映像音声データは、映像音声切換部２０７を経て映像音声処理部２１１で復号され、映像音声出力部２１２から出力される。したがって、視聴者はダウンロード放送を視聴できる。
【００６４】
視聴者がリアルタイム放送のＥＰＧの表示を指示すると、リアルタイム放送ＥＰＧ生成部２０８は、リアルタイム放送番組情報蓄積部２０３からリアルタイム放送番組情報を取り出し、ＥＰＧ表示データを構成して出力する。ＥＰＧ表示データはＥＰＧ／ＥＣＧ切換部２１０を経て映像音声処理部２１１で映像データと合成され、映像音声出力部２１２から出力される。
【００６５】
また、視聴者がダウンロード放送のＥＣＧの表示を指示すると、ダウンロード放送ＥＣＧ生成部２０９がダウンロード放送コンテンツ情報蓄積部２０６からダウンロード放送コンテンツ情報を取り出し、ＥＣＧ表示データを構成して出力する。ＥＣＧ表示データはＥＰＧ／ＥＣＧ切換部２１０を経て映像音声処理部２１１で映像データと合成され、映像音声出力部２１２から出力される。この場合、図１０で示したようなＥＣＧ表示データが表示される。したがって、視聴者はダウンロード放送のＥＣＧの表示を指示すると、リアルタイム放送時間帯が空白となって表示されるので、望ましくない。
【００６６】
デジタル放送送信機１００ａのダウンロード放送コンテンツ情報変換部１１０におけるダウンロード放送コンテンツ情報変換は実施の形態１におけるデジタル放送受信機２００ａのダウンロード放送コンテンツ情報変換部２１４におけるダウンロード放送コンテンツ情報変換と同様である。したがって、実施の形態１において説明したように、図２または図４のダウンロード放送コンテンツ情報変換を行う。その結果、視聴者がリアルタイム放送のＥＰＧの表示を指示すると、図３、図５のようなＥＰＧ表示データを表示できるようになる。
【００６７】
このように、実施の形態２におけるデジタル放送システムは、デジタル放送送信機１００ａがダウンロード放送コンテンツ情報を変換してリアルタイム放送番組情報として放送する。したがって、従来のデジタル放送受信機１００であってもダウンロード放送をリアルタイム放送の時間帯と区別して表示することができるため、リアルタイム放送のＥＰＧを表示するだけで、視聴者はリアルタイム放送中なのか、ダウンロード放送中なのか、放送休止中なのかを区別することができる。
【産業上の利用可能性】
【００６８】
本発明にかかるデジタル放送受信機及びデジタル放送送信機は、リアルタイム放送番組情報が存在しない時間帯にダウンロード放送コンテンツ情報があれば、それをリアルタイム放送の時間帯と区別して表示する。したがって、リアルタイム放送の番組表を表示するだけで、視聴者はリアルタイム放送中なのか、ダウンロード放送中なのか、放送休止中なのかを区別することが可能になる。そのためリアルタイム放送とダウンロード放送の両方に対応した番組及びコンテンツの情報を同時に表示するためのデジタル放送受信機及びデジタル放送送信機等として有用である。
【符号の説明】
【００６９】
１００ａ    デジタル放送送信機
１０１    デジタル放送送信部
１０２    映像音声符号化部
１０３ａ    リアルタイム放送番組情報生成部
１０４    ＭＰＥＧ−２トランスポートストリーム多重化部（第１の多重化部）
１０５    コンテンツ蓄積部
１０６    ダウンロード放送コンテンツ情報生成部
１０７    ダウンロード放送信号多重化部（第２の多重化部）
１０８    切換部
１０９    通信部
１１０    ダウンロード放送コンテンツ情報変換部
２００ａ    デジタル放送受信機
２０１    デジタル放送受信部
２０２    ＭＰＥＧ−２トランスポートストリーム多重分離部（第１の多重分離部）
２０３    リアルタイム放送番組情報蓄積部（第１の蓄積部）
２０４    ダウンロード放送信号多重分離部（第２の多重分離部）
２０５    コンテンツ蓄積部
２０６    ダウンロード放送コンテンツ情報蓄積部（第２の蓄積部）
２０７    映像音声切換部
２０８ａ    リアルタイム放送ＥＰＧ生成部（番組表生成部）
２０９    ダウンロード放送ＥＣＧ生成部
２１０    ＥＰＧ／ＥＣＧ切換部
２１１    映像音声処理部
２１２    映像音声出力部
２１３    通信部
２１４    ダウンロード放送コンテンツ情報変換部
３００    伝送路
４００    通信網
【図１】
0005382116.tif 000002
【図２】
0005382116.tif 000003
【図３】
0005382116.tif 000004
【図４】
0005382116.tif 000005
【図５】
0005382116.tif 000006
【図６】
0005382116.tif 000007
【図７】
0005382116.tif 000008
【図８】
0005382116.tif 000009
【図９】
0005382116.tif 000010
【図１０】
0005382116.tif 000011